(57)【特許請求の範囲】
【請求項１】
一端面に入射された光を一方の平面から出射する導光板と、前記一端面に光を出射する光源と、該光源が発生する熱を放出する放熱体と、前記導光板を支持する支持体とを備えるバックライト装置において、
前記支持体は、
前記導光板の他方の平面を覆う覆板と、
該覆板に連設され、前記一端面に隣接している前記導光板の端面を覆う側壁と
を有し、
前記放熱体は、前記導光板の前記一端面を覆う側壁を有し、
前記支持体及び放熱体夫々における前記側壁の隣り合う一端を連結する非透光性の連結部を備え、
該連結部は、
第１の板部と、
該第１の板部から突出する２つの突出部と、
第２の板部と、
該第２の板部から突出する２つの突出部と
を有し、
前記第１の板部の一辺は前記第２の板部の一辺に一体化され、前記連結部はＬ字状をなし、
前記第１の板部から突出する２つの突出部は、前記支持体の側壁を、前記一方の平面に垂直な方向に挟持し、
前記第１の板部から突出する２つの突出部の一方の一部は、前記支持体の側壁における前記導光板側に接し、
前記第２の板部から突出する２つの突出部は、前記放熱体の側壁を、前記一方の平面に垂直な方向に挟持し、
前記第２の板部から突出する２つの突出部の一方の一部は、前記放熱体の側壁における前記導光板側に接し、
前記支持体の側壁には、該側壁から突出する突部が設けられており、
前記連結部は該突部と係合すること
を特徴とするバックライト装置。
【請求項２】
光を出射する光源部と、該光源部を支持する支持板と、該支持板の隣り合う二辺夫々の縁部分から同一方向に突出している２つの板部とを備えるバックライト装置において、
該２つの板部夫々の隣り合う一端を連結する非透光性の連結部を備え、
該連結部は、
第１の板部と、
該第１の板部から突出する２つの突出部と、
第２の板部と、
該第２の板部から突出する２つの突出部と
を有し、
前記第１の板部の一辺は前記第２の板部の一辺に一体化され、前記連結部はＬ字状をなし、
前記第１の板部から突出する２つの突出部は、前記２つの板部中の一方の板部を、該一方の板部の突出方向に挟持し、
前記第１の板部から突出する２つの突出部の一方の一部は、前記一方の板部における光
源部側に接し、
前記第２の板部から突出する２つの突出部は、前記２つの板部中の他方の板部を、該他方の板部の突出方向に挟持し、
前記第２の板部から突出する２つの突出部の一方の一部は、前記他方の板部における光源部側に接し、
前記一方の板部には、該一方の板部から突出する突部が設けられており、
前記連結部は該突部と係合すること
を特徴とするバックライト装置。
【請求項３】
画像を表示する表示パネルと、
該表示パネルに光を照射する請求項１又は請求項２に記載のバックライト装置と
を備えることを特徴とする表示装置。
【発明の詳細な説明】
【技術分野】
【０００１】  本発明は、画像を表示する表示パネルに光を照射するバックライト装置及び該バックライト装置を備える表示装置に関する。
【背景技術】
【０００２】  画像を表示する液晶の表示パネルに光を照射するバックライト装置として、表示パネルの一平面に対向する位置にＬＥＤ（Light Emitting Diode）又は冷陰極管等の光源が配置される直下型のバックライト装置（例えば、特許文献１を参照）がある。また、他のバックライト装置として、導光板の端面に対向する位置に光源が配置され、光源から導光板の一端面に入射された光を導光板の一方の平面から表示パネルに光を照射するエッジライト型のバックライト装置がある。【０００３】  現在、表示パネルと、表示パネルに光を照射するバックライト装置とを備える表示装置として、薄型の表示装置が求められている。この薄型の表示装置が備えるエッジライト型の従来のバックライト装置として、矩形状の導光板を支持するバックライトシャーシが、導光板の他方の平面と、光源から光が入射される一端面を除く導光板の他の端面とを覆い、光源の熱を放出する放熱体が導光板の前記一端面を覆っているバックライト装置がある。この従来のバックライト装置では、バックライトシャーシ及び放熱体によって、導光板の一方の平面に対向する一面が開放された箱体が形成され、この箱体は導光板を収容している。【０００４】  以上のような従来のバックライト装置を備える従来の表示装置では、一面が導光板の一方の平面に対向するように矩形状の表示パネルが配置された状態で、表示パネルにおける他面の周縁部と、バックライトシャーシ及び放熱体からなる箱体の側壁とは、ベゼルによって覆われている。
【先行技術文献】
【特許文献】
【０００５】
【特許文献１】特許第５０６６２６４号公報
【発明の概要】
【発明が解決しようとする課題】
【０００６】  しかしながら、前述した従来の表示装置では、バックライトシャーシ及び放熱体によって形成される箱体の角部に隙間が生じるため、光源が出射した光がその隙間から漏れるという問題と、外部から粉塵が箱体の内部に侵入するという問題とがあった。【０００７】  これらの問題を解決する構成として、ベゼルの角部に黒いポリエステル製のテープを貼るという構成が考えられる。しかし、この構成には、光漏れと粉塵の侵入とを確実に防止するようにテープを貼ることが難しいという問題、テープにできた皺が表示装置の外観を悪化させるという問題、及び、テープの貼り直しができないという問題がある。【０００８】  また、直下型及びエッジライト型のバックライト装置のいずれにおいても、バックライトシャーシが、一面が開放された箱体状をなし、表示パネルに光を出射する光源部を支持する支持板と、支持板の各辺の縁部分から同一方向に突出する複数の板部とによって構成される場合、バックライトシャーシの角部に隙間が生じる。この場合においても、光源が出射した光がその隙間から漏れるという問題と、外部から粉塵が箱体の内部に侵入するという問題とがあり、これらの問題を解決するために、ベゼルの角部に黒いポリエステル製のテープを貼る構成は現実的ではない。【０００９】  本発明は斯かる事情に鑑みてなされたものであり、その目的とするところは、テープを用いることなく光漏れと粉塵の侵入とを防止することができるバックライト装置及び該バックライト装置を備える表示装置を提供することにある。
【課題を解決するための手段】
【００１０】  本発明に係るバックライト装置は、一端面に入射された光を一方の平面から出射する導光板と、前記一端面に光を出射する光源と、該光源が発生する熱を放出する放熱体と、前記導光板を支持する支持体とを備えるバックライト装置において、前記支持体は、前記導光板の他方の平面を覆う覆板と、該覆板に連設され、前記一端面に隣接している前記導光板の端面を覆う側壁とを有し、前記放熱体は、前記導光板の前記一端面を覆う側壁を有し、前記支持体及び放熱体夫々における前記側壁の隣り合う一端を連結する非透光性の連結部を備えることを特徴とする。【００１１】  本発明にあっては、光源、例えばＬＥＤが導光板の一端面に光を出射し、導光板は一端面に入射された光を一方の平面から出射する。光源が発生した熱は放熱体によって放出され、導光板は支持体、例えばバックライトシャーシによって支持されている。支持体の覆板は導光板の他方の平面を覆い、覆板に連設してある支持体の側壁は、一端面に隣接している導光板の端面を覆っている。また、放熱体の側壁は、光源から光が入射される導光板の一端面を覆っている。そして、支持体及び放熱体夫々における側壁の隣り合う一端を非透光性の連結部が連結している。  これにより、支持体と放熱体との間に隙間が生じないため、光漏れ及び粉塵の侵入が、テープを用いることなく、防止される。【００１２】  本発明に係るバックライト装置は、前記連結部は、前記支持体及び放熱体夫々の前記側壁を、前記一方の平面に垂直な方向に挟持してあることを特徴とする。【００１３】  本発明にあっては、連結部は、支持体の側壁を導光板の一方の平面に垂直な方向に挟持し、更に、放熱体の側壁を同じ方向に挟持している。このため、固定具、例えばビスを用いることなく、支持体及び放熱体が導光板の一方の平面に垂直な方向に移動することを防止することが可能となる。【００１４】  本発明に係るバックライト装置は、前記連結部は、前記支持体及び放熱体夫々の前記側壁における前記導光板側に接していることを特徴とする。【００１５】  本発明にあっては、連結部の一部が支持体の側壁における導光板側に接しており、連結部の他の一部が放熱体の側壁における導光板側に接している。このため、支持体の側壁に垂直な方向、及び、放熱体の側壁に垂直な方向に連結部が回転することはなく、連結部は支持体及び放熱体夫々における側壁の一端間に確実に固定される。【００１６】  本発明に係るバックライト装置は、光を出射する光源部と、該光源部を支持する支持板と、該支持板の隣り合う二辺夫々の縁部分から同一方向に突出している２つの板部とを備えるバックライト装置において、該２つの板部夫々の隣り合う一端を連結する非透光性の連結部を備えることを特徴とする。【００１７】  本発明にあっては、光を出射する光源部は、例えば矩形状をなす支持板によって支持されており、支持板の隣り合う二辺夫々の縁部分から同一方向に２つの板部が突出している。そして、２つの板部夫々において、隣り合う一端は非透光性の連結部によって連結されている。  これにより、２つの板部間に隙間が生じないため、光漏れ及び粉塵の侵入が、テープを用いることなく、防止される。【００１８】  本発明に係る表示装置は、��像を表示する表示パネルと、該表示パネルに光を照射する前述のバックライト装置とを備えることを特徴とする。【００１９】  本発明にあっては、表示パネルは、前述のバックライト装置が照射した光を用いて画像を表示する。
【発明の効果】
【００２０】  本発明によれば、テープを用いることなく光漏れと粉塵の侵入とを防止することができる。
【図面の簡単な説明】
【００２１】
【図１】実施の形態１における表示装置の外観図である。
【図２】図１におけるＡ−Ａ線の部分断面図である。
【図３】図１におけるＢ−Ｂ線の部分断面図である。
【図４】導光板を収容する箱体の正面図である。
【図５】導光板を収容する箱体の組み立てを説明するための説明図である。
【図６】連結部の斜視図である。
【図７】箱体の角部を外側から見た斜視図である。
【図８】箱体の角部を内側から見た斜視図である。
【図９】ベゼルが取り外された表示装置の部分斜視図である。
【図１０】表示装置の部分斜視図である。
【図１１】実施の形態２における表示装置を部分的に示す縦断面図である。
【図１２Ａ】バックライトシャーシの組み立てを説明するための説明図である。
【図１２Ｂ】バックライトシャーシの組み立てを説明するための説明図である。
【図１２Ｃ】バックライトシャーシの組み立てを説明するための説明図である。
【図１３】バックライトシャーシの角部を外側から見た斜視図である。
【図１４】バックライトシャーシの角部を内側から見た斜視図である。
【発明を実施するための形態】
【００２２】  以下、本発明をその実施の形態を示す図面に基づいて詳述する。（実施の形態１）  図１は実施の形態１における表示装置の外観図である。この表示装置１は、前側に画像を表示する表示面を有する矩形板状の表示パネル１０を備え、表示パネル１０の前側の周縁部は、中央部に開口１１ａを有する矩形枠状のベゼル１１によって覆われている。表示パネル１０において、表示面の中央部に位置する有効表示領域は開口１１ａから露出している。
【００２３】  ここで、開口１１ａの縦及び横の寸法は、ベゼル１１が表示パネル１０の周辺を覆うことができるように、表示パネル１０の縦及び横の寸法よりも若干小さい。
【００２４】  図２及び図３夫々は、図１におけるＡ−Ａ線及びＢ−Ｂ線の部分断面図である。ベゼル１１の断面はＬ字状をなしており、ベゼル１１は、表示パネル１０の前側の周縁部を覆う前壁１１ｂと、前壁１１ｂに連設され、表示パネル１０の端面を覆う周壁１１ｃとを有する。ベゼル１１の前壁１１ｂと表示パネル１０の周縁部との間には緩衝材１２が配置されている。
【００２５】  表示装置１は、表示パネル１０の後側にバックライト装置５を更に備え、バックライト装置５は、表示パネル１０の後側から前側に向けて光を照射する。表示パネル１０は、バックライト装置５によって後側から光を照射されて表示面に画像を表示する。表示パネル１０は例えば液晶パネルである。
【００２６】  バックライト装置５は、矩形状の光学シート５０と、矩形状の導光板５１と、矩形状の反射シート５２と、複数のＬＥＤ５３とを備える。光学シート５０は、視野拡大シート及び反射防止シート等、種々の光学的作用をなす複数枚のシートが積層されることによって構成され、一面が表示パネル１０の後面と対向するように配置されている。
【００２７】  光学シート５０の後側には、導光板５１が配置されており、導光板５１の前面（一方の平面）は光学シート５０に対向している。導光板５１の後面（他方の平面）には、反射シート５２が密着しており、導光板５１の右端面（図２の右側）に対向する位置に、複数のＬＥＤ５３が上下方向（図２の紙面に垂直な方向）、具体的には、導光板５１の右端面の長手方向に沿って並置されている。
【００２８】  複数のＬＥＤ５３夫々は、光源として機能し、矢印で示す方向に光を出射し、複数のＬＥＤ５３夫々が出射した光は導光板５１の右端面に入射される。導光板５１は、例えばアクリル樹脂を用いてなり、導光板５１の右端面に入射した光は、前面及び後面での反射を繰り返す。導光板５１を伝播する光が導光板５１の前面で反射する場合、光の一部が光学シート５０に向けて出射される。導光板５１の後面は反射シート５２に密着しているため、後面では、導光板５１を伝播する全ての光が反射する。これにより、導光板５１は、前面から光学シート５０に向けて均一な光を出射する。
【００２９】  複数のＬＥＤ５３の右側には、矩形状のＬＥＤ基板５４が配置され、ＬＥＤ基板５４の左面は導光板５１の右端面に対向しており、複数のＬＥＤ５３はＬＥＤ基板５４の左面に実装されている。ＬＥＤ基板５４の右面は放熱体５５に密着しており、発光によって複数のＬＥＤ５３が発生した熱は、ＬＥＤ基板５４を介して、放熱体５５に伝わる。
【００３０】  放熱体５５の断面はＬ字状をなしており、放熱体５５は、導光板５１の右端面を覆い、ＬＥＤ基板５４に密着している矩形状の右側壁５５ａと、右側壁５５ａの一辺に連設されて、一面が導光板５１の後面と対向するように配置される矩形状の後壁５５ｂとを有している。放熱体５５の後壁５５ｂは外気にさらされており、複数のＬＥＤ５３が発生した熱は、ＬＥＤ基板５４及び右側壁５５ａを介して後壁５５ｂに伝わり、後壁５５ｂから外気中に放出される。
【００３１】  導光板５１の右側、即ち、ＬＥＤ５３側の縁部と、放熱体５５の後壁５５ｂとの間にはスペーサ５６が配置されている。更に、導光板５１の右側縁部の前側には、スペーサ５６と挟持して導光板５１の右側縁部を押える押え部材５７が配置されている。押え部材５７は、導光板５１の右側縁部の前側を覆う前壁５７ａと、前壁５７ａに連設し、放熱体５５の右側壁５５ａの右側から導光板５１の右端面を覆う右壁５７ｂとを有する。導光板５１の右側縁部と押え部材５７の前壁５７ａとの間には、緩衝材５８が配置されている。
【００３２】  押え部材５７の前壁５７ａは、光学シート５０及び表示パネル１０夫々の右側縁部を支持しており、前壁５７ａ及び表示パネル１０の間には緩衝材５９が配置されている。ベゼル１１の周壁１１ｃは、押え部材５７の右壁５７ｂの右側から、導光板５１の右端面を覆っている。
【００３３】  バックライト装置５は、更に、導光板５１を支持する支持体としてバックライトシャーシ６０を備え、バックライトシャーシ６０は、導光板５１の後面を覆う後壁６０ａを有する。バックライトシャーシ６０の後壁６０ａは、放熱体５５の後壁５５ｂと固定具６１によって接続している。バックライトシャーシ６０は、導光板５１の上端面（図３の上側）と、導光板５１の上側縁部の後側とを覆う補強アングル６０ｂを更に有する。補強アングル６０ｂは後壁６０ａに重ね合った状態で固定されている。補強アングル６０ｂは、導光板５１の上端面を覆う矩形状の上壁６０１と、上壁６０１の一辺に連設され、導光板５１の上側縁部の後側を覆う後壁６０２とを有する。バックライトシャーシ６０において、後壁６０ａと、補強アングル６０ｂの後壁６０２と、後述するように、下側に配置される図示しない補強アングルの後壁とは、導光板５１の後面を覆う覆板６０ｃ（図４参照）を構成する。従って、補強アングル６０ｂの上壁６０１は、覆板６０ｃに連設され、導光板５１の右端面に隣接している導光板５１の上端面を覆う側壁として機能する。  なお、バックライトシャーシ６０の左側に、補強アングル６０ｂと同様の補強アングルが配置されている場合、覆板６０ｃは、上側、下側及び左側に配置される３つの補強アングルの後壁と、後壁６０ａとによって構成される。
【００３４】  補強アングル６０ｂの後壁６０２は、導光板５１及び反射シート５２夫々の上側縁部を支持している。導光板５１の上側縁部の前側には、補強アングル６０ｂの後壁６０２と挟持して導光板５１の上側縁部を押える押え部材６２が配置されている。押え部材６２は、導光板５１の上側縁部の前側を覆う前壁６２ａと、前壁６２ａに連設し、補強アングル６０ｂの上壁６０１の上側から導光板５１の上端面を覆う上壁６２ｂとを有する。導光板５１の上側縁部と押え部材６２の前壁６２ａとの間には、緩衝材６３が配置されている。ベゼル１１の周壁１１ｃは、押え部材６２の上壁６２ｂの上側から、導光板５１の上端面を覆っている。押え部材６２の前壁６２ａは光学シート５０及び表示パネル１０夫々の上側縁部を支持している。  表示装置１における下側部分の構成は、上側部分の構成と同様であり、上側部分の構成の上下を反転した構成となっている。
【００３５】  図４は導光板５１を収容する箱体の正面図であり、図５は導光板５１を収容する箱体の組み立てを説明するための説明図である。バックライトシャーシ６０は、前述したように、導光板５１の上端面を覆う上壁６０１を有する。バックライトシャーシ６０は、同様に、覆板６０ｃに連設され、導光板５１の下端面及び左端面夫々を覆う下壁６０３及び左壁６０４を有する。下壁６０３及び左壁６０４夫々は矩形状をなし、バックライトシャーシ６０の上壁６０１、下壁６０３及び左壁６０４夫々は連続している。
【００３６】  バックライトシャーシ６０は、覆板６０ｃの一部が放熱体５５の後壁５５ｂの後側と重なった状態で固定されている。バックライトシャーシ６０の上壁６０１の右端と、放熱体５５の右側壁５５ａの上端とは非透光性の連結部６４によって連結され、バックライトシャーシ６０の下壁６０３の右端と、放熱体５５の右側壁５５ａの下端とは非透光性の連結部６５によって連結されている。バックライト装置５は、以上のように上壁６０１及び右側壁５５ａの隣り合う一端を連結する連結部６４と、下壁６０３及び右側壁５５ａの隣り合う一端を連結する連結部６５とを更に備え、表示装置１では、放熱体５５、バックライトシャーシ６０及び連結部６４，６５によって形成される箱体に導光板５１が収容されている。
【００３７】  放熱体５５の右側壁５５ａと、バックライトシャーシ６０の上壁６０１及び下壁６０３とは連結部６４，６５によって連結されているため、放熱体５５及びバックライトシャーシ６０の間に隙間が生じない。これにより、複数のＬＥＤ５３が発した光が放熱体５５及びバックライトシャーシ６０の間から漏れることが防止され、更に、放熱体５５及びバックライトシャーシ６０の間から粉塵が侵入することも防止される。従って、光漏れ及び粉塵の侵入を防止するために、ベゼル１１に非透光性のテープを張り付ける必要はない。
【００３８】  図６は連結部６４の斜視図である。連結部６４は、２つの矩形状の板部６４ａ，６４ｂを有し、板部６４ａの一方の長辺は、板部６４ｂの一方の長辺に一体化されている。連結部６４は全体としてＬ字状をなしている。板部６４ａにおいて、他方の長辺の両端部分夫々から板部６４ａの短手方向に突出した２つの突出部６４ｃ，６４ｄが設けられている。突出部６４ｃは鉤状をなしている。また、板部６４ｂにおいて、他方の長辺の両端部分夫々から板部６４ｂの短手方向に突出した２つの突出部６４ｅ，６４ｆが設けられている。突出部６４ｅの先端部分の外側には切欠きが設けられている。  連結部６５は、連結部６４と同様に構成されている。
【００３９】  図７及び図８夫々は、箱体の角部を外側及び内側から見た斜視図である。放熱体５５、バックライトシャーシ６０及び連結部６４，６５によって箱体が形成された場合、図７及び図８に示すように、連結部６４の突出部６４ｃ，６４ｅは前側に位置し、連結部６４の突出部６４ｄ，６４ｆは後側に位置する。
【００４０】  また、バックライトシャーシ６０において、上壁６０１の右端部には、前側、即ち、表示パネル１０側に突出した突部６０５が設けられている。鉤状をなす連結部６４の突出部６４ｃは、上壁６０１の突部６０５と係合する。このとき、突出部６４ｃは、突部６０５の内側、即ち、導光板５１側に接している。また、連結部６４の突出部６４ｃ，６４ｄは、バックライトシャーシ６０の上壁６０１を、前後方向、即ち、導光板５１の前面に垂直な方向に挟持してある。
【００４１】  更に、放熱体５５の右側壁５５ａの上端部にも、前側に突出した突部５５ｃが設けられている。連結部６４の突出部６４ｅの先端部分に設けられた切欠きは、右側壁５５ａの突部５５ｃに当接し、突出部６４ｅは、突部５５ｃの内側、即ち、導光板５１側に接している。また、連結部６４の突出部６４ｅ，６４ｆは、放熱体５５の右側壁５５ａを、前後方向、即ち、導光板５１の前面に垂直な方向に挟持してある。
【００４２】  以上のように構成されたバックライト装置５では、連結部６４は、バックライトシャーシ６０の上壁６０１と、放熱体５５の右側壁５５ａとを前後方向に挟持してあるため、固定具、例えばビスを用いることなく、バックライトシャーシ６０及び放熱体５５が前後方向に移動することを防止することができる。また、連結部６４の突出部６４ｃがバックライトシャーシ６０の上壁６０１の内側に接し、かつ、連結部６４の突出部６４ｅが放熱体５５の右側壁５５ａの内側に接しているので、連結部６４が板部６４ａ又は板部６４ｂの一面に垂直な方向に回転することはない。このため、連結部６４は、バックライトシャーシ６０の上壁６０１の右端と、放熱体５５の右側壁５５ａの上端との間に確実に固定される。
【００４３】  また、連結部６４は、放熱体５５における右側壁５５ａの上側縁部の後側と、バックライトシャーシ６０における上壁６０１の右側縁部の後側とを覆っている。このため、表示装置１の角部からの光漏れ及び粉塵の侵入がより確実に防止される。
【００４４】  放熱体５５、バックライトシャーシ６０及び連結部６５からなる角部は、放熱体５５、バックライトシャーシ６０及び連結部６４からなる角部と同様に構成される。このとき、バックライトシャーシ６０において、下壁６０３の右側端部には、上壁６０１の右側端部に設けられた突部６０５に対応する突部が設けられており、放熱体５５の右側壁５５ａの下端部には、上端部に設けられた突部５５ｃと対応する突部が設けられている。連結部６５は、連結部６４と同様に、放熱体５５の右側壁５５ａの下端と、バックライトシャーシ６０の下壁６０３の右端とを連結している。  連結部６５によって連結を行うことによって、連結部６４によって連結を行った場合と同様の効果が得られる。
【００４５】  図９はベゼル１１が取り外された表示装置１の部分斜視図である。図９には、図７及び図８に示す箱体に導光板５１等を収容し、押え部材５７，６２及び表示パネル１０を配置した構成が示されている。押え部材５７は、右壁５７ｂが放熱体５５の右側壁５５ａの右側を覆うように配置され、押え部材６２は、上壁６２ｂがバックライトシャーシ６０の上壁６０１の上側を覆うように配置されている。バックライトシャーシ６０において、下壁６０３の下側、及び、左壁６０４の左側夫々を覆うように、押え部材が同様に配置されている。表示装置１が備える４つの押え部材は、例えば押し出し成形によって各別に製造される。表示装置１が備える４つの押え部材の前側には、光学シート５０及び表示パネル１０が配置されている。
【００４６】  図１０は表示装置１の部分斜視図である。図９に示すように押え部材５７，６２及び表示パネル１０等が配置された状態で、ベゼル１１を配置することによって表示装置１が製造される。このとき、ベゼル１１の周壁１１ｃは、押え部材５７，６２、具体的には、押え部材５７の右壁５７ｂ及び押え部材６２の上壁６２ｂを覆っている。ベゼル１１の周壁１１ｃは、バックライトシャーシ６０において、下壁６０３の下側、及び、左壁６０４の左側夫々も覆っている。表示装置１では、図１０に示すように、連結部６４が設置されているため、右上の角部には、複数のＬＥＤ５３の光が漏れる隙間、又は、粉塵が侵入する隙間が生じることはない。同様に、連結部６５が設置されているため、右下の角部にも、複数のＬＥＤ５３の光が漏れる隙間、又は、粉塵が侵入する隙間が生じることはない。
【００４７】  なお、連結部６４は、バックライトシャーシ６０の上壁６０１、及び、放熱体５５の右側壁５５ａの内側に接していなくてもよい。同様に、連結部６５は、バックライトシャーシ６０の下壁６０３、及び、放熱体５５の右側壁５５ａの内側に接していなくてもよい。更に、連結部６４はバックライトシャーシ６０の上壁６０１、及び、放熱体５５の右側壁５５ａ夫々を挟持していなくてもよく、連結部６５は、バックライトシャーシ６０の下壁６０３、及び、放熱体５５の右側壁５５ａを挟持していなくてもよい。以上のような場合であっても、バックライトシャーシ６０及び放熱体５５が連結部６４，６５夫々によって連結されることによって、光漏れ及び粉塵の侵入を防ぐことができる。
【００４８】  また、表示装置１は連結部６４，６５両方を備えなくてもよい。例えば、光が漏れる確率、及び、粉塵が侵入する確率が高い表示装置１の右上部分に連結部６４を設けて、光が漏れる確率、及び、粉塵が侵入する確率が低い表示装置１の右下部分については、連結部を設けなくてもよい。
【００４９】  また、実施の形態１で説明した発明を適用することができるバックライト装置は、導光板５１の右端面に光を入射するバックライト装置５だけではない。実施の形態１で説明した発明については、導光板５１の上端面、左端面及び下端面の少なくとも１つに光を入射し、バックライトシャーシ及び放熱体を組み合わせたものが箱状をなすバックライト装置に適用することができる。
【００５０】（実施の形態２）  図１１は実施の形態２における表示装置を部分的に示す縦断面図である。この表示装置７は直下型のバックライト装置８を備えており、この点についてエッジライト型のバックライト装置５を備える実施の形態１の表示装置１と異なる。以下では、実施の形態２における表示装置７について説明する。
【００５１】  表示装置７は、図１に示す表示装置１の外観と同様に、前側に画像を表示する表示面を有する矩形板状の表示パネル７０を備え、表示パネル７０の前側の周縁部は、中央部に開口７１ａを有する矩形枠状のベゼル７１によって覆われている。ここで、表示装置７の表示パネル７０、ベゼル７１、及び開口７１ａは、表示装置１の表示パネル１０、ベゼル１１及び開口１１ａに対応する。  開口７１ａの縦および横の寸法は、ベゼル７１が表示パネル７０の周辺を覆うことができるように、表示パネル７０の縦及び横の寸法よりも若干小さい。
【００５２】  ベゼル７１の断面はＬ字状をなしており、ベゼル７１は、表示パネル７０の前側の周縁部を覆う前壁７１ｂと、前壁７１ｂに連設され、表示パネル７０の端面を覆う周壁７１ｃとを有する。ベゼル７１の前壁７１ｂと表示パネル７０との間には緩衝材７２が配置されている。
【００５３】  表示装置７は、表示パネル７０の後側にバックライト装置８を更に備え、バックライト装置８は、表示パネル７０の後側から前側に向けて光を照射する。表示パネル７０は、バックライト装置８によって後側から光を照射されて表示面に画像を表示する。表示パネル７０は例えば液晶パネルである。
【００５４】  バックライト装置８は、矩形状の光学シート８０と、矩形状の拡散板８１と、反射シート８２と、複数のＬＥＤ８３とを備える。光学シート８０は、実施の形態１における光学シート５０と同様に構成され、一面が表示パネル７０の後面と対向するように配置されている。
【００５５】  光学シート８０の後側には拡散板８１が配置されており、拡散板８１の前面は光学シート８０の後面と密着している。拡散板８１の後側には、複数のＬＥＤ８３が拡散板８１の幅方向及び長さ方向夫々に並置され、格子状に配置されている。複数のＬＥＤ８３の後側には矩形状のＬＥＤ基板８４が配置されており、複数のＬＥＤ８３はＬＥＤ基板８４の前面に設置されている。更に、ＬＥＤ基板８４の前面において、複数のＬＥＤ８３が設置されている部分を除く他の部分は反射シート８２によって覆われており、反射シート８２は複数のＬＥＤ８３が発した光を反射する。
【００５６】  複数のＬＥＤ８３が発した光、及び、反射シート８２が反射した光は、拡散板８１の後面に入射される。拡散板８１は、後面から入射された光を拡散させ、光学シート８０を介して、均一な光を表示パネル７０の後面に向けて出射する。このように、光学シート８０、拡散板８１、反射シート８２及び複数のＬＥＤ８３は、表示パネル７０の後面に光を出射する光源部として機能する。
【００５７】  バックライト装置８は更にバックライトシャーシ８５を備え、バックライトシャーシ８５は一面が開放された箱体状をなし、複数のＬＥＤ８３及びＬＥＤ基板８４を収容している。バックライトシャーシ８５は、ＬＥＤ基板８４の後側に、ＬＥＤ基板８４に密着した状態で、前述の光源部を支持する矩形状の支持板８５ａを有する。バックライトシャーシ８５では、支持板８５ａの上辺（図１１の上側）の縁部分から前側に上板部８５ｂが突出している。上板部８５ｂの断面は図１１に示すようにＵ字状をなしており、上板部８５ｂには、複数のＬＥＤ８３及びＬＥＤ基板８４の端面を覆う矩形状の側板部分と、該側板部分から表示装置７の外側に延出している矩形状の延出部分とが設けられている。この延出部分の前面は拡散板８１の後面に対向している。
【００５８】
上板部８５ｂの延出部分の前側には、反射シート８２、拡散板８１及び光学シート８０夫々における上辺の縁部分が、後側からこの順序で積層されている。光学シート８０の前側には、これらの上辺の縁部分を抑える押え部材７３が配置されており、反射シート８２、拡散板８１及び光学シート８０夫々における上辺の縁部分は、押え部材７３と、バックライトシャーシ８５における上板部８５ｂの延出部分とによって挟持されている。更に、押え部材７３の前側には、緩衝材７４を介して表示パネル７０が配置され、ベゼル７１の前壁７１ｂと、押え部材７３とによって表示パネル７０が挟持されている。
【００５９】
表示装置７において、下側部分は、図１１に示す上側部分の断面の上下を反転した形状をなし、表示装置７の左右方向（図１１の紙面に垂直な方向）の横断面は、上下方向の縦断面と同様に構成されている。従って、バックライトシャーシ８５において、支持板８５ａの右辺、下辺及び左辺夫々の縁部分から前側（同一方向）に、上板部８５ｂと同様の形状をなす右板部８５ｃ、下板部８５ｄ及び左板部８５ｅ夫々（図１２Ｃ参照）が突出している。そして、表示装置７の右側、下側及び左側夫々に配置された押え部材７３と、右板部８５ｃ、下板部８５ｄ及び左板部８５ｅとは、反射シート８２、拡散板８１及び光学シート８０夫々の対応する辺の縁部分を挟持している。更に、表示装置７の右側、下側及び左側夫々に配置された押え部材７３と、ベゼル７１の前壁７１ｂとは、表示パネル７０の右辺、下辺及び左辺夫々の縁部分を挟持している。
ベゼル７１の周壁７１ｃは、表示装置７の上側、右側、下側及び左側夫々に配置された押え部材７３、及び、バックライトシャーシ８５よりも外側に位置している。
【００６０】  図１２Ａ、図１２Ｂ及び図１２Ｃはバックライトシャーシ８５の組み立てを説明するための説明図である。バックライトシャーシ８５は、図１２Ａに示す金属板９のプレス加工品である。金属板９は、例えばアルミニウム板であり、矩形状の平板９０と、平板９０の各端面から突出している矩形板状の突出部９０ｂ，９０ｃ，９０ｄ，９０ｅとを有する。図１２Ａに示す破線は、プレス加工に折り曲げられる折り線である。
【００６１】  図１２Ａに示す金属板９における突出部９０ｂ，９０ｃ，９０ｄ，９０ｅを、矢印で示されているように、折り線に沿ってプレス加工することによって、図１２Ｂに示す、バックライトシャーシ８５の支持板８５ａ、上板部８５ｂ、右板部８５ｃ、下板部８５ｄ及び左板部８５ｅが形成される。平板９０及び突出部９０ｂ，９０ｃ，９０ｄ，９０ｅ夫々は、支持板８５ａ、上板部８５ｂ、右板部８５ｃ、下板部８５ｄ及び左板部８５ｅに対応する。
【００６２】  上板部８５ｂ及び右板部８５ｃの隣り合う一端を連結部８５ｆによって連結し、右板部８５ｃ及び下板部８５ｄの隣り合う一端を連結部８５ｇによって連結し、下板部８５ｄ及び左板部８５ｅの隣り合う一端を連結部８５ｈによって連結し、上板部８５ｂ及び左板部８５ｅの隣り合う一端を連結部８５ｉによって連結する。これにより、図１２Ｃに示すバックライトシャーシ８５が形成される。連結部８５ｆ，８５ｇ，８５ｈ，８５ｉ夫々は非透光性である。
【００６３】  図１３及び図１４夫々はバックライトシャーシ８５の角部を外側及び内側から見た斜視図である。図１３及び図１４夫々には、バックライトシャーシ８５において、上板部８５ｂの右端と右板部８５ｃの上端とが連結部８５ｆによって連結されている状態が示されている。連結部８５ｆは実施の形態１における図６の連結部６４と同様に構成されている。連結部８５ｆは、２つの矩形状の板部８５０，８５１を有し、板部８５０の一方の長辺は、板部８５１の一方の長辺に一体化されている。連結部８５ｆは、全体としてＬ字状をなしている。板部８５０において、他方の長辺の両端部分夫々に板部８５０の短手方向に突出した２つの突出部８５２，８５３が設けられている。突出部８５２は鉤状をなしている。また、板部８５１において、他方の長辺の両端部分夫々に板部８５１の短手方向に突出した２つの突出部８５４，８５５が設けられている。突出部８５４の先端部分の外側には切欠きが設けられている。
【００６４】  図１３及び図１４に示すように、バックライトシャーシ８５においては、連結部８５ｆの突出部８５２，８５４は前側に位置し、連結部８５ｆの８５３，８５５は後側に位置する。また、上板部８５ｂの右端部には、前側、即ち、表示パネル１０側に突出した突部８５ｊが設けられている。鉤状をなす連結部８５ｆの突出部８５２は、上板部８５ｂの突部８５ｊと係合する。このとき、突出部８５２は突部８５ｊの内側、即ち、ＬＥＤ基板８４側に接している。また、バックライトシャーシ８５において、連結部８５ｆの突出部８５２，８５３は、上板部８５ｂを、前後方向、即ち、拡散板８１の前面に垂直な方向に挟持してある。
【００６５】  更に右板部８５ｃの上端部にも、前側に突出した突部８５ｋが設けられている。連結部８５ｆの突出部８５４の先端部分に設けられた切欠きは、右板部８５ｃの突部８５ｋに当接し、突出部８５４は、突部８５ｋの内側、即ち、ＬＥＤ基板８４側に接している。また、連結部８５ｆの突出部８５４，８５５は、右板部８５ｃを、前後方向、即ち、拡散板８１の前面に垂直な方向に挟持してある。
【００６６】  以上のように構成されたバックライトシャーシ８５では、上板部８５ｂ及び右板部８５ｃ夫々の隣り合う一端が非透光性の連結部８５ｆによって連結されているので、上板部８５ｂ及び右板部８５ｃ間に隙間が生じない。このため、複数のＬＥＤ８３が発した光がバックライトシャーシ８５の右上の角部から漏れることが防止され、更に、上板部８５ｂ及び右板部８５ｃの間から粉塵が内部に侵入することも防止される。そして、このような光漏れ及び粉塵の侵入を防止するために、ベゼル７１に非透光性のテープを張り付ける必要もない。
【００６７】  また、連結部８５ｆは、上板部８５ｂと右板部８５ｃとを前後方向に挟持してあるため、固定具、例えばビスを用いることなく、上板部８５ｂ及び右板部８５ｃが前後方向に移動することを防止することができる。また、連結部８５ｆの突出部８５２が上板部８５ｂの内側に接し、かつ、連結部８５ｆの突出部８５４が右板部８５ｃの内側に接しているので、連結部８５ｆが板部８５０又は板部８５１の一面に垂直な方向に回転することはない。このため、連結部８５ｆは、上板部８５ｂ及び右板部８５ｃ間に確実に固定される。
【００６８】  更に、連結部８５ｆは、上板部８５ｂの右側縁部の後側と、右板部８５ｃの上側縁部の後側とを覆っているので、表示装置７における右上の角部からの光漏れ及び粉塵の侵入がより確実に防止される。
【００６９】  連結部８５ｇ，８５ｈ，８５ｉ夫々は連結部８５ｆと同様に構成されている。そして、バックライトシャーシ８５における右下、左下及び左上の角部も、連結部８５ｆが配置されている右上の角部と同様に構成される。このとき、上板部８５ｂの左側端部と、下板部８５ｄの右側端部及び左側端部夫々とに、上板部８５ｂの右側端部に設けられた突部８５ｊに対応する突部が設けられ、右板部８５ｃの下側縁部と、左板部８５ｅの上側縁部及び下側縁部とに、右板部８５ｃの上側端部に設けられた突部８５ｋに対応する突部が設けられている。そして、連結部８５ｇ，８５ｈ，８５ｉ夫々は、連結部８５ｆと同様に連結を行っている。  従って、連結部８５ｇ，８５ｈ，８５ｉ夫々によって連結が行われているバックライトシャーシ８５の右下、左下及び左上夫々の角部では、バックライトシャーシ８５の右上の角部と同様の効果が得られる。
【００７０】  なお、実施の形態２のバックライトシャーシ８５において、連結部８５ｆは、上板部８５ｂ及び右板部８５ｃの内側に接していなくてもよい。同様に、連結部８５ｇ，８５ｈ，８５ｉ夫々も上板部８５ｂ、右板部８５ｃ、下板部８５ｄ及び左板部８５ｅ中の連結する２つの板部の内側に接していなくてもよい。更に、連結部８５ｆは、上板部８５ｂ及び右板部８５ｃ夫々を挟持していなくてもよい。同様に、連結部８５ｇ，８５ｈ，８５ｉ夫々も上板部８５ｂ、右板部８５ｃ、下板部８５ｄ及び左板部８５ｅ中の連結する２つの板部夫々を挟持していなくてもよい。以上のような場合であっても、バックライトシャーシ８５において、上板部８５ｂ、右板部８５ｃ、下板部８５ｄ及び左板部８５ｅ夫々の一端を連結部８５ｆ，８５ｇ，８５ｈ，８５ｉによって連結することによって、光漏れ及び粉塵の侵入を防ぐことができる。
【００７１】
また、上板部８５ｂ、右板部８５ｃ、下板部８５ｄ及び左板部８５ｅ中の２つの板部夫々の一端を連結する構成は、バックライト装置８のような直下型のバックライト装置に限定されず、バックライトシャーシ８５のように一面が開放されたバックライトシャーシを備えるエッジライト型のバックライト装置に適用することができる。更に、実施の形態１におけるエッジライト型のバックライト装置５のように、放熱板とバックライトシャーシとによって一面が開放された箱体が形成される場合においても、バックライトシャーシの２つの側壁の一端を、連結部８５ｆと同様の連結部を用いて連結することによって、バックライトシャーシ８５の右上の角部と同様の効果が得られる。
【００７２】  例えば、実施の形態１におけるバックライトシャーシ６０の左下及び左上夫々の角部を、実施の形態２におけるバックライトシャーシ８５の左下及び左上夫々の角部と同様に構成することができる。このとき、実施の形態１における光学シート５０、導光板５１、反射シート５２及び複数のＬＥＤ５３が請求の範囲における光源部として機能する。以上のように構成されたバックライトシャーシ６０においても、左下及び左上夫々の角部からの光漏れ及び粉塵の侵入が防止される。  また、表示装置７は連結部８５ｆ，８５ｇ，８５ｈ，８５ｉ全てを備えなくてもよい。例えば、光が漏れる確率、及び、粉塵が侵入する確率が高い表示装置７の右上及び左上の角部に連結部８５ｆ，８５ｉを配置し、光が漏れる確率、及び、粉塵が侵入する確率が低い表示装置７の右下及び左下の角部については、連結部を配置しなくてもよい。
【符号の説明】
【００７３】  １，７  表示装置  １０，７０  表示パネル  ５，８  バックライト装置  ５１  導光板  ５３  ＬＥＤ  ５５  放熱体  ５５ａ  右側壁  ６０  バックライトシャーシ（支持体）  ６０ａ，６０２  後壁  ６０ｂ  補強アングル  ６０ｃ  覆板  ６０１  上壁  ６０３  下壁  ６４，６５，８５ｆ，８５ｇ，８５ｈ，８５ｉ  連結部  ６４ｃ，６４ｄ，６４ｅ，６４ｆ，８５２，８５３，８５４，８５５  突出部  ５５ｃ，６０５，８５ｊ，８５ｋ  突部  ８０  光学シート（光源部の一部）  ８１  拡散板（光源部の一部）  ８２  反射シート（光源部の一部）  ８３  ＬＥＤ（光源部の他部）  ８５  バックライトシャーシ  ８５ａ  支持板  ８５ｂ  上板部（請求の範囲における板部）  ８５ｃ  右板部（請求の範囲における板部）  ８５ｄ  下板部（請求の範囲における板部）  ８５ｅ  左板部（請求の範囲における板部）
【図１】
0006469583.tif 000002
【図２】
0006469583.tif 000003
【図３】
0006469583.tif 000004
【図４】
0006469583.tif 000005
【図５】
0006469583.tif 000006
【図６】
0006469583.tif 000007
【図７】
0006469583.tif 000008
【図８】
0006469583.tif 000009
【図９】
0006469583.tif 000010
【図１０】
0006469583.tif 000011
【図１１】
0006469583.tif 000012
【図１２Ａ】
0006469583.tif 000013
【図１２Ｂ】
0006469583.tif 000014
【図１２Ｃ】
0006469583.tif 000015
【図１３】
0006469583.tif 000016
【図１４】
0006469583.tif 000017